(57)【要約】【課題】  立壁面をコケにより緑化するに際し、コケが立壁面から剥がれ落ちたり、胞子が落下したりすることがなく、確実に保持した状態で立壁面にコケを確実に植生させることができ又、立壁面に雨水をコケ植生部に保水して水の補給ができるようにしたコケ植生ポットの提供。【解決手段】  立壁面１に取り付けられるコケ植生ポット２であって、上面が開口すると共に、コケ植生底面２２が水平面に形成されたコケ植生部２３が内部に形成されている。【選択図】  図２
2005229882.tif 000002
【特許請求の範囲】
【請求項１】
立壁面に取り付けられるコケ植生ポットであって、
上面が開口すると共に、コケ植生底面が水平面に形成されたコケ植生部が内部に形成されていることを特徴とするコケ植生ポット。
【請求項２】
吸水性材質で形成されている請求項１記載のコケ植生ポット。
【請求項３】
非吸水性材質で形成され、コケ植生底面に保水材が敷設され、コケ植生部の底部に排水穴が形成されている請求項１記載のコケ植生ポット。
【請求項４】
請求項１又は２又は３記載のコケ植生ポットにおいて、コケ植生底面の下方に、このコケ植生底面で区画された貯水室が形成され、この貯水室とコケ植生部とがコケ植生底面に形成した連通穴によって連通されているコケ植生ポット。
【請求項５】
請求項４記載のコケ植生ポットにおいて、貯水室の内部に保水材が敷設されているコケ植生ポット。
【請求項６】
請求項１〜５のいずれかに記載のコケ植生ポットにおいて、コケ植生部に植生したコケを外部に露出させるための窓穴又はスリットが正面壁に形成されているコケ植生ポット。
【請求項７】
請求項１〜６のいずれかに記載のコケ植生ポットにおいて、複数個のコケ植生ポットをパネル基板の表面に突出して取り付けたコケ植生用壁面パネルを形成し、前記パネル基板を介して複数個のコケ植生ポットを立壁面に取り付けるようにしたコケ植生ポット。
【発明の詳細な説明】
【技術分野】
【０００１】
本発明は、建築物や構築物の立壁面（垂直壁面や傾斜壁面や球形壁面等を含む）に取り付けて、その立壁面をコケにより緑化するために用いるコケ植生ポットに関する。
【背景技術】
【０００２】
都市圏におけるヒートアイランド現象の対策として、従来、建築物等の壁面をコケ等によって緑化するようにした技術が提案されている（特許文献１）。
【０００３】
このコケ等による壁面の緑化技術は、壁面にラス網を固定し、種子やコケ等を含んだ練土をラス網に塗り込んで、その上から保護用樹脂網を被着させるようにしたものである。
【０００４】
しかしながら、かかる従来の緑化技術では、種子やコケ等を含んだ練土を作り、これをラス網に塗り込んで壁面に付着させ、さらに、保護用樹脂網で練土の剥がれを押えるといった極めて手間のかかる施工が必要になる。
又、種子やコケ等を含んだ練土は、ラス網に塗り込まれた状態で垂直な壁面に付着しているため、ラス網との絡まりと、保護用樹脂網による押えによって練土を支持したものになっている。
このように、練土を下から支持する構造ではないため、練土が壁面から剥がれ落ちてしまうという問題があった。
また、コケが垂直面に植生されるため、コケが横向きに延びる状態に成育し、コケの成長が拘束されて、熱及び炭酸ガスの取り込み能力が低くなるし、又、コケの胞子が落下してしまい、コケの世代交代ができずに、枯れてしまうことが多い。
【特許文献１】特許公開平９−８４４５０号公報
【発明の開示】
【発明が解決しようとする課題】
【０００５】
本発明は、上記のような問題を解決するためになされたもので、立壁面をコケにより緑化するに際し、コケが立壁面から剥がれ落ちたり、胞子が落下したりすることがなく、確実に保持した状態で立壁面にコケを確実に植生させることができるようにしたコケ植生ポットを提供することを課題としている。
【課題を解決するための手段】
【０００６】
上記の課題を解決するために、本発明のコケ植生ポット（請求項１）は、立壁面に取り付けられるコケ植生ポットであって、上面が開口すると共に、コケ植生底面が水平面に形成されたコケ植生部が内部に形成されている構成とした。
【０００７】
前記コケ植生ポット（請求項１）において、コケ植生ポットが吸水性材質（例えば、セメント系材質、素焼き材質、木材等）で形成されている態様（請求項２）、コケ植生ポットが非吸水性材質（例えば、アルミ、ステンレス、プラスチック、陶磁器等）で形成され、コケ植生底面に保水材が敷設され、コケ植生部の底部に排水穴が形成されている態様（請求項３）がある。
【０００８】
また、本発明のコケ植生ポット（請求項４）は、前記請求項１又は２又は３記載のコケ植生ポットにおいて、コケ植生底面の下方に、このコケ植生底面で区画された貯水室が形成され、この貯水室とコケ植生部とがコケ植生底面に形成した連通穴によって連通されている構成とした。
【０００９】
前記コケ植生ポット（請求項４）において、貯水室の内部に保水材が敷設されている態様（請求項５）がある。
【００１０】
又、前記コケ植生ポット（請求項１〜５のいずれか）において、コケ植生ポットの正面壁に、コケ植生部に植生したコケを外部に露出させるための窓穴又はスリットが形成されている態様（請求項６）がある。
【００１１】
又、前記コケ植生ポット（請求項１〜６のいずれか）において、このコケ植生ポットをパネル基板の表面に突出して取り付けたコケ植生用壁面パネルを形成し、前記パネル基板を介してコケ植生ポットを立壁面に取り付けるようにした態様がある。
【００１２】
なお、本発明のコケ植生ポットは、建築物の立壁面に限らず、擁壁や土木構築物等の立壁面に取り付けて、緑化外壁面を形成するために用いることができる。
本発明で言う立壁面には、垂直壁面や傾斜壁面や球形壁面等を含むものとする。
【発明の効果】
【００１３】
本発明のコケ植生ポット（請求項１）では、内部にコケ植生部が形成され、このコケ植生部には水平面に形成されたコケ植生底面が形成されている。
立壁面でのコケの育成に際しては、水の補給が重要な条件になるもので、本発明のコケ植生ポットは、雨水を内部のコケ植生部に保水できるものであり、この点が最大の効果になる。
従って、コケ植生ポットの内部においてコケを植生させることができるし、特に、コケは水平面に形成されたコケ植生底面上に植生されるため、コケが水平に保持される。
このように、コケ植生部に保水できると共に、コケを水平に保持できるため、コケを枯すことなく、又、コケが立壁面から剥がれ落ちることがなく、確実に保持した状態で立壁面に植生させることができるし、コケ植生ポットのコケ植生部にコケを植えるだけの簡単な手間で立壁面の緑化が可能になる。
【００１４】
コケは、ジメジメした湿気の多い環境の下で生育するのが好ましい。
そこで、コケ植生ポットを吸水性材質で形成すると（請求項２）、雨水や人工的な散水で供給された水をコケ植生ポットが吸水して保水するため、コケの生育に適した湿気の多い環境をコケ植生部に作ることができる。
なお、このように、コケ植生ポットを吸水性材質で形成した場合においてもコケ植生底面に保水材を敷設し、また、コケ植生底面に排水穴を形成するのは任意にできる。
【００１５】
また、コケ植生ポットを非吸水性材質で形成した場合（請求項３）には、コケ植生ポット自身による吸水がないため、コケ植生底面に保水材を敷設し、この保水材によってコケの生育に適した湿気の多い環境をコケ植生部に作ることができる。
【００１６】
なお、コケが水に浸ると、コケが腐るという育成不良が生じるため、コケ植生部の底部に溜まった余分な水を排水する必要がある。
この点において、コケ植生ポットを吸水性材質で形成すると（請求項２）、コケ植生ポットの吸水性によって余分な水を排水できるため、排水穴は不要である。なお、排水穴を設けるのは、任意である。
また、非吸水性材質で形成した場合には（請求項３）、コケ植生部の底部に形成した排水穴から余分な水を排水することができる。
【００１７】
又、本発明のコケ植生ポット（請求項４）では、コケ植生底面の下方に貯水室を形成しているため、この貯水室に溜まった水が蒸発して水蒸気が連通穴からコケ植生部に流入するため、コケの生育に適した湿気の多い環境をコケ植生部に作ることができる。
なお、貯水室内から水が溢れると、連通穴からコケ植生部に水が流入して、コケが水に浸ることになる。そこで、コケ植生部の底に形成したオーバフロー穴によって排水させ、コケ植生底面上に水が溢れるのを防止させるようにしている。
【００１８】
この場合、貯水室の内部に保水材を敷設しておくと（請求項５）、降雨が少ないような場合、この保水材によって水分、湿気を確保しておくことができる。
【００１９】
又、本発明のコケ植生ポット（請求項６）では、正面壁に窓穴又はスリットが形成されているため、コケ植生部に植生したコケを、この窓穴又はスリットを通して外部に露出させることができる。これにより、コケを上面開口部と、正面壁の両面から露出させることができ、露出緑化面を増大させることができる。
【００２０】
又、本発明のコケ植生ポット（請求項７）では、複数のコケ植生ポットをパネル基板の表面に突出して取り付けたコケ植生用壁面パネルを形成しておき、このコケ植生用壁面パネルを立壁面に取り付けるようにしたものである。従って、複数のコケ植生ポットをまとめて立壁面に取り付けることができる。
【発明を実施するための最良の形態】
【００２１】
図１は本発明のコケ植生ポットの実施例を示す斜視図、図２はその一部断面図である。
コケ植生ポット２は、吸水性材質であるコンクリートによって形成され、正面視が横長矩形に形成されると共に、上面開口部２１も横長矩形に形成され、内部に、コケ植生底面２２が水平面に形成されたコケ植生部２３が形成されている。
【００２２】
又、コケ植生ポット２の正面壁２４には、コケ植生部２３に貫通した窓穴２５が形成され、かつコケ植生底面２２に排水穴２６が形成されると共に、このコケ植生底面２２上に保水材３が敷設されている。
このように、コケ植生底面２２に排水穴２６を形成しておくと、コケ植生ポットを立壁面１に上下方向に多段に配設した場合、排水した水が上段側のコケ植生ポット２から下段側のコケ植生ポット２へと次々に滴下して、給水させることができる。
【００２３】
この保水材３としては、ヘチマ繊維、ヤシ繊維、パルプかす、その他の植物繊維、熱可塑性樹脂製糸条（例えば、モスネット協会製作、商品名：モスフラット）、布（織布、不織布繊維）、保水性骨材、保水性発泡体等が用いられ、これらを単独、あるいは組み合わせて使用できる。
なお、保水性骨材としては、パミス（大江化学社製商品）、ゼオライト、珪藻土等の多孔性骨材を、粒状のまま、あるいはセメントや接着剤で板状等に固めて使用することができる。
【００２４】
そして、コケ植生ポット２は、建築物等の立壁面１に、上下方向に複数段に配設されるもので、その配列は任意であり、例えば、左右方向に数列に配設すると共に、上下方向に数列に配設することもできる。
また、このコケ植生ポット２の建築物等の立壁面１に対する取り付けは、コケ植生ポット２の背面壁２０をビスや接着剤等の取り付け手段（図示省略）によって立壁面１に取り付けるようにしている。
【００２５】
また、コケ植生ポット２の正面突出幅Ｔ１は、コケ植生ポット２の重量、コケ植生ポット２が受ける風圧、脱落管理等の手間、製作コスト等を勘案して決定することになるが、１０ｃｍ以下にするようにしている。
又、コケ植生部２３の深さＴ２は、２ｃｍ〜４ｃｍが好ましく、この深さＴ２は、保水材３を敷設した場合には、この保水材３の上面から上面開口部２１までの距離となり、保水材３を敷設しない場合には、コケ植生底面２２から上面開口部２１までの距離となる。これは、生育したコケの長さが最大で４ｃｍ程度であり、４ｃｍを越えると、上面開口部２１からのコケの露出が不十分になるし、また、２ｃｍ以下になると、コケが風を受けて脱落するおそれが生じるからである。
また、コケ植生ポット２，２の上下配設ピッチＴ３は、２０ｃｍ以内が好ましいが、上面開口部２１への入光量等を勘案して決定するようにしている。
【００２６】
なお、コケ植生ポット２の材質については、非吸水性材質（例えば、アルミ、ステンレス、プラスチック、陶磁器等）を用いることができるもので、この場合には、コケ植生底面２２に保水材３を敷設し、コケ植生部２３の底部に排水穴２６を形成するのが好ましい。
【００２７】
本発明において、植生するコケとしては、ハイゴケやスナゴケ、スギゴケ等、コケ類全般を使用でき、このコケを細片にしてからコケ植生部２３に入れ、コケ植生底面２２上で植生させるようにしている。
【００２８】
上記のようにしてコケ植生部２３に入れられたコケは、コケ植生底面２２の上に保持された状態で植生され、上面開口部２１から外部に臨むように露出し、建築物等の立壁面１を緑化することができる。
この実施例では、コケ植生ポット２の内部で植生されたコケが、正面壁２４に形成した窓穴２５からも外部に臨むように露出し、より一層の緑化を図ることができる。
この場合、前記窓穴２５は、太陽光が入射し易いように、角度を持って開口形成されている。
【００２９】
このように、コケ植生ポット２に形成したコケ植生底面２２によってコケを水平に保持できるため、コケを確実に保持しながら簡単な手間で立壁面の緑化が可能になる。
【００３０】
次に、図３はコケ植生ポットの他例を示す切欠斜視図である。
このコケ植生ポット２は、アルミによる引抜き成形で形成されたもので、コケ植生底面２２の下方に、このコケ植生底面２２で区画された貯水室２７が形成され、この貯水室２７とコケ植生部２３とがコケ植生底面２２に形成した連通穴２８によって連通されている。
また、コケ植生部２３の底部に排水穴２６が形成され、この排水穴２６は、コケ植生部２３に溜まった水の排水用穴及び貯水室２７から溢れた水のオーバーフロー用穴として機能する。
【００３１】
又、前記貯水室２７内には、保水材を敷設してもよいが、この保水材は必ずしも必要でない。ただ、保水材を敷設すれば、水分を確保しておくことができる。
又、保水材を敷設する場合には、貯水室２７の底面に排水穴を形成してもよく、この場合には、排水した水が上段側のコケ植生ポット２から下段側のコケ植生ポット２へと次々に滴下して、給水させることができる。
又、コケ植生部２３のコケ植生底面には、保水材３が敷設され、又、正面壁２４には、コケ植生部２３に貫通したスリット２９が形成されている。
【００３２】
又、このコケ植生ポット２では、コケ植生底面２２の下方に形成した貯水室２７に水を溜めるもので、ここに水が溜まると、蒸発した水蒸気が連通穴２８からコケ植生部２３に流入し、コケの生育に適した湿気の多い環境をコケ植生部２３に作ることができる。
【００３３】
次に、図４はコケ植生ポットの他例を示す斜視図である。
この実施例では、パネル基板４に複数個（４個）のコケ植生ポット２を上下方向に配設したコケ植生用壁面パネル５を形成している。
この場合、コケ植生ポット２の配列は任意であり、例えば、左右方向に数列に配設すると共に、上下方向に数列に配設することもできる。
また、パネル基板４の材質も、コンクリート板系、ペットボトル繊維のプレス板、樹脂板、鉄板、ステンレス板、透水性樹脂板等、コケ植生ポット２と同質又は異質のものを使用できるし、パネル基板４に対するコケ植生ポット２の取り付手段についても、ビスや接着剤により取り付けるなど、任意である。
このように、コケ植生用壁面パネル５を形成することにより、複数のコケ植生ポット２をまとめて立壁面１に取り付けることができる。
【図面の簡単な説明】
【００３４】
【図１】本発明のコケ植生用壁面パネルの実施例を示す斜視図である。
【図２】そのコケ植生用壁面パネルの一部断面図である。
【図３】コケ植生ポットの他例を示す切欠斜視図である。
【図４】コケ植生ポットの他例を示す斜視図である。
【符号の説明】
【００３５】
１  立壁面
２  コケ植生ポット
２０  背面壁
２１  上面開口部
２２  コケ植生底面
２３  コケ植生部
２４  正面壁
２５  窓穴
２６  排水穴
２７  貯水室
２８  連通穴
２９  リット
３  保水材
４  パネル基板
５  コケ植生用壁面パネル
Ｔ１  正面突出幅
Ｔ２  深さ
Ｔ３  上下配設ピッチ
【図１】
2005229882.tif 000003
【図２】
2005229882.tif 000004
【図３】
2005229882.tif 000005
【図４】
2005229882.tif 000006